(57)【要約】【課題】加熱調理後の開封が容易な包装容器を提供する。【解決手段】包装容器は、底部と、窓が形成された蓋部と、側面部とを有する容器本体と、底部に取付けられ、マイクロ波を吸収して発熱する発熱体と、蓋部の包装容器内側に、窓を覆って貼り付けられた耐熱性の透明フィルムとを備え、蓋部には、Ｙ字形状の切り目が所定の間隔で蓋部を横断して配列されることで形成された２本のミシン目が、互いに平行に形成されている。【選択図】図１
2014009009.tif 000002
【特許請求の範囲】
【請求項１】
底部と、窓が形成された蓋部と、側面部とを有する容器本体と、
前記底部に取付けられ、マイクロ波を吸収して発熱する発熱体と、
前記蓋部の包装容器内側に、前記窓を覆って貼り付けられた耐熱性の透明フィルムとを備え、
前記蓋部には、Ｙ字形状の切り目が所定の間隔で前記蓋部を横断して配列されることで形成された２本のミシン目が、互いに平行に形成されている、包装容器。
【請求項２】
前記透明フィルムは厚さ５０マイクロメートル以上のポリエチレンテレフタレートフィルムである、請求項１に記載の包装容器。
【請求項３】
前記透明フィルムの面積は、前記蓋部の面積の５０％以上である、請求項１または２に記載の包装容器。
【請求項４】
前記２本のミシン目の間隔は１．０ｃｍ以上である、請求項１〜３のいずれかに記載の包装容器。
【請求項５】
食品を包装した、請求項１〜４のいずれかに記載の包装容器。
【発明の詳細な説明】
【技術分野】
【０００１】
本発明は、包装容器に関し、とくに食品用包装容器及び食品入り包装容器に関する。
【背景技術】
【０００２】
従来、電子レンジによる加熱調理に適した包装容器が提案されている。特許文献１には、電子レンジのマイクロ波により発熱し、内容物である食品を加熱する発熱体を備えた紙製の包装容器が開示されている。
【先行技術文献】
【特許文献】
【０００３】
【特許文献１】特開２００１−１０４１５３号公報
【発明の概要】
【発明が解決しようとする課題】
【０００４】
このような包装容器においては、加熱調理後、食品から発生した蒸気によって、包装容器本体がふやけた場合、開封のための切断予定部分を予定通りに切断できず、開封困難となる場合があった。
【０００５】
それ故に、本発明は、加熱調理後の開封が容易な包装容器を提供することを目的とする。
【課題を解決するための手段】
【０００６】
本発明は、底部と、窓が形成された蓋部と、側面部とを有する容器本体と、底部に取付けられ、マイクロ波を吸収して発熱する発熱体と、蓋部の包装容器内側に、窓を覆って貼り付けられた耐熱性の透明フィルムとを備え、蓋部には、Ｙ字形状の切り目が所定の間隔で蓋部を横断して配列されることで形成された２本のミシン目が、互いに平行に形成されている包装容器である。
【発明の効果】
【０００７】
本発明によれば、包装容器本体がふやけた場合であっても、２本のミシン目に挟まれた帯状の領域をミシン目に沿って確実に除去することができるため、加熱調理後の開封が容易な包装容器を提供することができる。
【図面の簡単な説明】
【０００８】
【図１】実施形態に係る包装容器の斜視図
【図２】実施形態に係る容器本体の展開図
【図３】実施形態に係る包装容器のミシン目の変形例を示す図
【図４】実施形態に係る包装容器の開封した状態を示す斜視図
【発明を実施するための形態】
【０００９】
図１は、実施形態に係る包装容器１を透過的に示した斜視図である。包装容器１は容器本体１０とマイクロ波を吸収して発熱する発熱体２０とからなる。容器本体１０は、底部１１と、蓋部１２と、側面部１３とからなり、蓋部１２には、窓１４が形成されている。容器本体１０は、例えば紙を含む１枚のシート材から形成される。図２に、容器本体１０の展開図を示す。発熱体２０は、底部１１の包装容器１の内側となる面に取付けられている。発熱体２０は、電子レンジのマイクロ波によって発熱する素材を含むシート材であり、例えば、基材、金属蒸着層、保護膜の３層からなる積層体を用いることができる。内容物は、発熱体２０に載置される。また、ミシン目１６が蓋部１２及び側面部１３を横断して形成されている。また、耐熱性の透明フィルム１５が、蓋部１２の包装容器１の内側となる面に、窓１４を覆って貼り付けられている。
【００１０】
透明フィルム１５により、内容物を包装容器１の外側から視認することができる。このため、加熱調理時に、調理状態を確認することができる。また、包装容器１に内容物を入れた状態で販売する場合、店頭で内容物を確認することができ、商品としての訴求力を高めることができる。
【００１１】
また、透明フィルム１５は耐熱性を有するため、加熱調理時に変形し、包装容器１を汚損することがない。透明フィルム１５は、耐熱温度が２００℃以上であることが好ましい。また、透明フィルム１５は、内容物が魚など、尖った部分を有する場合に突き破られることがないよう、耐ピンホール強度があるフィルムを用いることが好ましい。そのため、透明フィルム１５は、例えば、厚さ５０μｍ以上のポリエチレンテレフタレートフィルムであることが好ましい。
【００１２】
また、透明フィルム１５は、蓋部１２の包装容器１の内側となる面に貼り付けられているため、加熱調理時に内容物から発生する蒸気が、紙製の蓋部１２に吸収され、あるいは蓋部１２を透過するのを抑制する。そのため、包装容器１内部の蒸気量が一定以上に保たれ、内容物を十分蒸らし、内容物全体を加熱することが可能となる。透明フィルム１５の面積は、蓋部１２の面積の５０％以上が好ましい。
【００１３】
ミシン目１６は、少なくとも２本、互いに平行に形成されている。包装容器１の開封は、２本のミシン目１６に挟まれた帯状の領域をミシン目１６に沿って除去して蓋部１２を持ち上げることによって行う。本実施形態では、開封開始位置は図２において図面左側の側面部１３の外縁部である。帯状の領域の幅は１．０ｃｍ以上が好ましく、１．５ｃｍ程度が好適である。この帯状の領域をつまんで引っ張ることにより、ミシン目が１本である場合に比べ、ミシン目１６に沿った切断力を蓋部１２に与えやすく、開封が容易となる。また、これにより、蓋部１２の切断進行のため、蓋部１２を何度も押さえ直したりする必要がなく、内容物の損壊や、手指の汚れ及び火傷の可能性を低減できる。
【００１４】
ミシン目１６は、Ｙ字形状に形成された切り目が、つなぎ部分に隔てられて所定の間隔で配列されることにより形成されている。加熱調理後、蓋部１２がふやけた状態では、つなぎ部分が軟化し、開封時にミシン目１６の配列方向に沿って切断されず、配列方向以外の方向に切断されるおそれがある。しかし、Ｙ字形状に切り目を形成することにより、つなぎ部分における切断線が、ミシン目１６の配列方向から、いずれの方向にそれた場合であっても、切り目のいずれかの部分につながる可能性を高くすることができ、蓋部１２をミシン目１６に沿って切断し開封しやすくすることができる。
【００１５】
図３は、ミシン目の変形例を示す図である。図３の（ａ）に示すように、側面部１３と蓋部１２との境界部分に、Ｙ字形状のミシン目のＶ字形状部分を設けないようにすることで、境界部分近傍の強度を保持し、蒸気でふやけた場合に形状を崩れにくくできる。また、開封開始位置は、ミシン目１６のいずれの箇所であってもよい。図２に示すように、底部１１の外縁部であってもよく、図３の（ｂ）に示すように、側面部１３と蓋部１２との境界部分であってもよい。また、図３の（ｃ）に示すように、蓋部１２の中央部であってもよい。
【００１６】
図４に包装容器１を開封したときの斜視図を示す。包装容器１は、開封によって、蓋部１２が裏返るように開くため、内容物を大きく露出させることができる。そのため、開封後の包装容器１を食器として利用することができる。
【００１７】
包装容器１は、内容物がない状態で提供されてもよく、食品等の内容物を包装した状態で提供されてもよい。
【産業上の利用可能性】
【００１８】
本発明は、包装容器に利用可能であり、とくに加熱調理を要する食品等の包装容器に利用可能である。
【符号の説明】
【００１９】
１    包装容器
１０    容器本体
１１    底部
１２    蓋部
１３    側面部
１４    窓
１５    透明フィルム
１６    ミシン目
２０    発熱体
【図１】
2014009009.tif 000003
【図２】
2014009009.tif 000004
【図３】
2014009009.tif 000005
【図４】
2014009009.tif 000006